(57)【要約】【課題】第１海水こし器および第２海水こし器の両方の海水こし器を用いて、海水の濾過を行なうことのできる構成を備えた複式海水こし器を提供する。【解決手段】海水導入側の第１領域においては、海水主導入口１１９と第１海水導入口１８１ａとが連通し、第１海水こし器海水導入口１１５と第２海水導入口１８１ｂとが連通し、第２海水こし器海水導入口１１７と第３海水導入口１８１ｃとが連通する。この状態において、海水が海水主導入口１１９から第１海水こし器１５０および第２海水こし器１６０の内部に導入される。【選択図】図１５
0003152265.tif 000002
【実用新案登録請求の範囲】
【請求項１】
海水主導入口（１１９）および海水主排出口（１２０）が底面に設けられた本体（１１０）と、
前記海水主導入口（１１９）および前記海水主排出口（１２０）に連通するように前記本体（１１０）に連結される第１海水こし器（１５０）と、
前記海水主導入口（１１９）および前記海水主排出口（１２０）に連通するように前記本体（１１０）に連結される第２海水こし器（１６０）と、
前記本体（１１０）の内部において回動可能に収容され、前記第１海水こし器（１５０）および前記第２海水こし器（１６０）への海水の流れを切り替える弁体（１８０）と、を備え、
前記弁体（１８０）は、
前記第１海水こし器（１５０）への海水の導入と前記第１海水こし器（１５０）からの海水の排水とを可能とし、前記第２海水こし器（１６０）への海水の導入を遮断する第１の切換位置と、
前記第２海水こし器（１６０）への海水の導入と前記第２海水こし器（１６０）からの海水の排水とを可能とし、前記第１海水こし器（１５０）への海水の導入を遮断する第２の切換位置と、
前記第１海水こし器（１５０）および前記第２海水こし器（１６０）への海水の導入と、前記第１海水こし器（１５０）および前記第２海水こし器（１６０）からの海水の排出を可能とする第３の切換位置と、
の切換が可能なように設けられる、複式海水こし器。
【請求項２】
前記本体（１１０）の内部には、
前記第１海水こし器（１５０）および前記第２海水こし器（１６０）に海水を導入する第１領域（１１０Ａ）と、前記第１海水こし器（１５０）および前記第２海水こし器（１６０）から海水を排出する第２領域（１１０Ｂ）とを隔てるための隔壁（１２５）が設けられ、
前記弁体（１８０）は、
前記第１領域（１１０Ａ）に収容される第１弁体（１８１）と、前記第２領域（１１０Ｂ）に収容される第２弁体（１８２）と、前記隔壁（１２５）を液密的に貫通し前記第１弁体（１８１）と前記第２弁体（１８２）とを回動可能に連結する連結軸部（１８３）とを有し、
前記連結軸部（１８３）の軸芯（Ａ）周りに沿って前記弁体（１８０）を回動させることにより、前記第１の切換位置、前記第２の切換位置、および、前記第３の切換位置が切り換えられる、請求項１に記載の複式海水こし器。
【請求項３】
前記本体（１１０）の前記第１領域（１１０Ａ）には、前記海水主導入口（１１９）、第１海水こし器海水導入口（１１５）、および、前記第１海水こし器海水導入口（１１５）が対向する位置に第２海水こし器海水導入口（１１７）が設けられ、
前記本体（１１０）の前記第２領域（１１０Ｂ）には、前記海水主排出口（１２０）、第１海水こし器海水排出口（１１６）、および、前記第１海水こし器海水排出口（１１６）が対向する位置に第２海水こし器海水排出口（１１８）が設けられ、
前記第１弁体（１８１）は、略中空の立方体形状を有し、前記連結軸部（１８３）の軸芯（Ａ）周りに沿って、第１海水導入口（１８１ａ）、第２海水導入口（１８１ｂ）、および、前記第２海水導入口（１８１ｂ）に対向する位置に第３海水導入口（１８１ｃ）が設けられ、
前記第２弁体（１８２）は、略中空の立方体形状を有し、前記連結軸部（１８３）の軸芯（Ａ）周りに沿って、第１海水排出口（１８２ａ）、第２海水排出口（１８２ｂ）、および、前記第２海水排出口（１８２ｂ）に対向する位置に第３海水排出口（１８２ｃ）が設けられ、
前記弁体（１８０）が前記第１の切換位置においては、
前記第１領域（１１０Ａ）では、前記海水主導入口（１１９）と前記第３海水導入口（１８１ｃ）とが連通し、前記第１海水こし器海水導入口（１１５）と前記第１海水導入口（１８１ａ）とが連通し、前記第２海水こし器海水導入口（１１７）が遮蔽されることで、前記第１海水こし器（１５０）に海水が導入されるとともに、前記第２領域（１１０Ｂ）では、前記海水主排出口（１２０）と前記第３海水排出口（１８２ｃ）とが連通し、前記第１海水こし器海水排出口（１１６）と前記第１主排出口（１８２ａ）とが連通し、前記第２海水こし器海水排出口（１１８）が遮蔽されることで、前記第１海水こし器（１５０）から海水が排出され、
前記弁体（１８０）が前記第２の切換位置においては、
前記第１領域（１１０Ａ）では、前記海水主導入口（１１９）と前記第２海水導入口（１８１ｂ）とが連通し、前記第２海水こし器海水導入口（１１７）と前記第１海水導入口（１８１ａ）とが連通し、前記第１海水こし器海水導入口（１１５）が遮蔽されることで、前記第２海水こし器（１６０）に海水が導入されるとともに、前記第２領域（１１０Ｂ）では、前記海水主排出口（１２０）と前記第２海水排出口（１８２ｂ）とが連通し、前記第２海水こし器海水排出口（１１８）と前記第１海水排出口（１８２ａ）とが連通し、前記第１海水こし器海水排出口（１１６）が遮蔽されることで、前記第２海水こし器（１５０）から海水が排出され、
前記弁体（１８０）が前記第３の切換位置においては、
前記第１領域（１１０Ａ）では、前記海水主導入口（１１９）と前記第１海水導入口（１８１ａ）とが連通し、前記第１海水こし器海水導入口（１１５）と前記第２海水導入口（１８１ｂ）および前記第２海水こし器海水導入口（１１７）と前記第３海水導入口（１８１ｃ）とが連通することで、前記第１海水こし器（１５０）および前記第２海水こし器（１６０）の両方に海水が導入されるとともに、前記第２領域（１１０Ｂ）では、前記海水主排出口（１２０）と前記第１海水排出口（１８２ａ）とが連通し、前記第１海水こし器海水排出口（１１６）と前記第２海水排出口（１８２ｂ）および前記第２海水こし器海水排出口（１１８）と前記第３海水排出口（１８２ｃ）とが連通することで、前記第１海水こし器（１５０）および前記第２海水こし器（１６０）の両方から海水が排出される、請求項２に記載の複式海水こし器。
【考案の詳細な説明】
【技術分野】
【０００１】
本考案は、海水を冷却水等として用いる舶用機器用の海水こし器、特に舶用エンジン冷却用の複式海水こし器に関する。
【背景技術】
【０００２】
（複式海水こし器２００）
図１７から図２５を参照して従来の複式海水こし器の概略構成について説明する。図１７および図１８に示す従来の複式海水こし器２００は、通称「ヘイシコック型」と呼ばれる複式海水こし器である。なお、図１８は、図１７中のＸＶＩＩＩ線矢視断面模式図であり、図２０および図２３は、図１８中のＸＸ線矢視に対応する断面模式図であり、図２１および図２４は、図１８中のＸＸＩ線矢視に対応する断面模式図である。また、各断面模式図においては、海水の流れを容易に理解するために、断面構造は詳細に図示せず、模式的に図示している。また、図中矢印Ｆは、海水の流れを示している。
【０００３】
本体２０１の下面側に海水主導入口２０１ａおよび海水主排出口２０１ｂが設けられている。本体２０１の上面側には、第１海水こし器２１０および第２海水こし器２２０が取り付けられている。第１海水こし器２１０および第２海水こし器２２０は、本体２０１の内部に設けられた弁体２４０の位置を切り換えることにより、海水主導入口２０１ａおよび海水主排出口２０１ｂに連通する。
【０００４】
第１海水こし器２１０および第２海水こし器２２０はいずれも同じ形態、および、ろ過機能を有している。図１７の第２海水こし器２２０の部分断面図に示すように、内部に設けられた筒型バケットフィルタ２２０ｆの外周面側から内側に向けて海水が導入されることで、海水中のゴミ、雑物魚のウロコ等の異物が筒型バケットフィルタ２２０ｆにより取り除かれる。
【０００５】
本体２０１の内部には、円錐型の弁体２４０が挿入されている。弁体２４０は軸芯周りに回動可能に本体２０１の内部に収容されている。弁体２４０の奥側である小径側に海水主排出口２０１ｂが位置し、手前側である大径側に海水主導入口２０１ａが位置している。手前側の大径側に海水主導入口２０１ａを設けているのは、海水の導入量を多くするためである。また、弁体２４０の手前側には、切換ハンドル２３０が取り付けられている。
【０００６】
弁体２４０は中空形態であり、外周面において、手前側には、第１海水導入口２４１ａおよび第２海水導入口２４１ｂが形成され、奥側には、第１海水排出口２４２aおよび第２海水排出口２４２ｂが形成されている。第１海水導入口２４１ａおよび第２海水導入口２４１ｂと、第１海水排出口２４２aおよび第２海水排出口２４２ｂとの間には、隔壁２４３が形成されている。
【０００７】
図２０に示すように、本体２０１の手前側には、第１海水こし器２１０の海水導入口に連通する第１海水こし器海水導入口２０１ｃ、および、第２海水こし器２２０に連通する第２海水こし器海水導入口２０１ｅが設けられ、また、図２１に示すように、本体２０１の奥側には、第１海水こし器２１０の海水排出口に連通する第１海水こし器海水排出２０１ｄ、および、第２海水こし器２２０に連通する第２海水こし器海水排出口２０１ｆが設けられている。
【０００８】
（複式海水こし器２００の切換動作）
次に、図１９から図２４を参照して、切換動作について説明する。図１９から図２１は、第１海水こし器２１０に切り換えた場合を示し、図２２から図２４は、第２海水こし器２２０に切り換えた場合を示している。
【０００９】
図１９に示す状態に切換ハンドル２３０を回転させることにより、図２０に示すように、海水主導入口２０１ａと第２海水導入口２４１ｂとが連通し、第１海水こし器海水導入口２０１ｃと第１海水導入口２４１ａとが連通する。これにより、海水が第１海水こし器２１０の内部に導入される。
【００１０】
また、図２１に示すように、海水主排出口２０１ｂと第２海水排出口２４２ｂとが連通し、第１海水こし器海水排出口２０１ｄと第１海水排出口２４２ａとが連通する。これにより、海水が第１海水こし器２１０の内部から排出される。このとき、第２海水こし器海水導入口２０１ｅ（図２０参照）と第２海水こし器海水排出口２０１ｆ(図２１参照）とは、弁体２４０により遮断されている。
【００１１】
次に、図２２に示すように切換ハンドル２３０を９０°回転させることにより、図２３に示すように、海水主導入口２０１ａと第１海水導入口２４１ａとが連通し、第２海水こし器海水導入口２０１ｅと第２海水導入口２４１ｂとが連通する。これにより、海水が第２海水こし器２２０の内部に導入される。
【００１２】
また、図２４に示すように、海水主排出口２０１ｂと第１海水排出口２４２ａとが連通し、第２海水こし器海水排出口２０１ｆと第２海水排出口２４２ｂとが連通する。これにより、海水が第２海水こし器２２０の内部から排出される。このとき、第１海水こし器海水導入口２０１ｃ（図２３参照）と第１海水こし器海水排出口２０１ｄ（図２４参照）とは、弁体２４０により遮断されている。
【００１３】
ここで、再び図１８を参照して、通称「ヘイシコック型」の複式海水こし器２００は、上記したように円錐型の弁体２４０が挿入されている。これは、本体２０１との液密性を高めるためである。しかし、液密性を高めた場合には、弁体２４０が奥側に強く挿入された状態となり、切換ハンドル２３０を用いても作業者の腕力により弁体２４０を容易に回転させることが困難になる場合が多いという課題を有している。この課題を解決したものが、下記に示す複式海水こし器３００である。
【００１４】
（複式海水こし器３００）
次に、図２５から図３３を参照して、異なる構造を有する複式海水こし器３００について説明する。この複式海水こし器３００は、通称「ボール弁型」と呼ばれる複式海水こし器である。
【００１５】
なお、図２６は、図２５中のＸＸＶＩ線矢視に対応する断面模式図であり、図２８は、図２６中のＸＸＶＩＩＩ線矢視断面模式図であり、図２９は、図２６中のＸＸＩＸ線矢視断面模式図である。また、図３０は、図２５中のＸＸＸ線矢視に対応する断面模式図であり、図３２は、図３０中のＸＸＸＩＩ線矢視断面模式図であり、図３３は、図３０中のＸＸＸＩＩＩ線矢視断面模式図である。また、各断面模式図においては、海水の流れを容易に理解するために、断面構造は詳細に図示せず、模式的に図示している。また、図中矢印Ｆは、海水の流れを示している。
【００１６】
図２５および図２６を参照して、本体３０１の下面側に海水主導入口３１９および海水主排出口３２０が設けられている。本体３０１の上面側には、第１海水こし器３１０および第２海水こし器３２０が取り付けられている。第１海水こし器３５０および第２海水こし器３６０は、本体３０１の内部に設けられた第１弁体３８１および第２弁体３８２の位置を切り換えることにより、海水主導入口３１９および海水主排出口３２０に連通する。
【００１７】
第１海水こし器３５０および第２海水こし器３６０はいずれも同じ形態、および、ろ過機能を有している。図２５の第１海水こし器３５０の部分断面図に示すように、内部に設けられた筒型バケットフィルタ３５０ｆの外周面側から内側に向けて海水が導入されることで、海水中のゴミ、雑物魚のウロコ等の異物が筒型バケットフィルタ３５０ｆにより取り除かれる。
【００１８】
第１弁体３８１と第２弁体３８２とは連結軸部３８３により連結されている。第２弁体３８２には、切換ハンドル３３０が連結されている。連結軸部３８３の軸芯周りに沿って、第１弁体３８１と第２弁体３８２が一体として回動可能なように、本体３０１の内部に収容されている。
【００１９】
図２８を参照して、第１弁体３８１は、略中空の立方体形状を有し、連結軸部３８３の軸芯周りに沿って、第１海水導入口３８１ａおよび第２海水導入口３８１ｂが設けられている。また、本体３０１側にも、海水主導入口３１９以外に、第１海水こし器３５０の海水導入口に連通する第１海水こし器海水導入口３１５、および、第２海水こし器３６０に連通する第２海水こし器海水導入口３１７が設けられている。
【００２０】
また、図２９参照して、第２弁体３８２は、第１弁体３８１と同様に略中空の立方体形状を有し、連結軸部３８３の軸芯周りに沿って、第１海水排出口３８２ａおよび第２海水排出口３８２ｂが設けられている。また、本体３０１側にも、海水主排出口３２０以外に、第１海水こし器３５０の海水排出口に連通する第１海水こし器海水排出３１６、および、第２海水こし器３６０に連通する第２海水こし器海水排出口３１８が設けられている。
【００２１】
（複式海水こし器３００の切換動作）
次に、図２６から図３３を参照して、切換動作について説明する。図２６から図２９は、第１海水こし器３５０に切り換えた場合を示し、図３０から図３３は、第２海水こし器３６０に切り換えた場合を示している。
【００２２】
図２７に示す状態に切換ハンドル３３０を回転させることにより、図２８に示すように、海水導入側においては、海水主導入口３１９と第２海水導入口３８１ｂとが連通し、第１海水こし器海水導入口３１５と第１海水導入口３８１ａとが連通する。各連通領域は、シール部材３２１により液密状態が維持されている。このとき、第２海水こし器海水導入口３１７は、第１弁体３８１により遮断されている。
【００２３】
また、図２９に示すように、海水排出側においては、海水主排出口３２０と第２海水排出口３８２ｂとが連通し、第１海水こし器海水排出口３１６と第１海水排出口３８２ａとが連通する。各連通領域は、シール部材３２１により液密状態が維持されている。このとき、第２海水こし器海水排出口３１８は、第２弁体３８２により遮断されている。
【００２４】
この状態において、図２６に示すように、海水が海水主導入口３１９から第１海水こし器３５０の内部に導入され、第１海水こし器３５０により濾過された海水が、海水主排出口３２０から排出される。
【００２５】
次に、図３２に示すように、切換ハンドル３３０を９０°回転させることにより、海水導入側においては、海水主導入口３１９と第１海水導入口３８１ａとが連通し、第２海水こし器海水導入口３１７と第２海水導入口３８１ｂとが連通する。各連通領域は、シール部材３２１により液密状態が維持されている。このとき、第１海水こし器海水導入口３１５は、第１弁体３８１により遮断されている。
【００２６】
また、図３３に示すように、海水排出側においては、海水主排出口３２０と第１海水排出口３８２ａとが連通し、第２海水こし器海水排出口３１８と第２海水排出口３８２ｂとが連通する。各連通領域は、シール部材３２１により液密状態が維持されている。このとき、第１海水こし器海水排出口３１６は、第１弁体３８１により遮断されている。
【００２７】
この状態において、図３０に示すように、海水が海水主導入口３１９から第２海水こし器３６０の内部に導入され、第２海水こし器３６０により濾過された海水が、海水主排出口３２０から排出される。
【００２８】
この複式海水こし器３００においては、「ヘイシコック型」の複式海水こし器２００において生じていた、弁体の回動が困難になるという問題は発生しない。しかし、使用者は、図３４に示すように、第１海水こし器３５０および第２海水こし器３６０の両方の海水こし器を用いることを目的として、切換ハンドル３３０を中立位置に停止させる場合がある。
【００２９】
しかし、この中立位置に切換ハンドル３３０を停止させた場合には、図３５および図３６に示すように、第１弁体３８１および第２弁体３８２は、本体２０１の内部において、液密性が確保できない状態となる。なお、図３５は、図２６中のＸＸＶＩＩＩ線矢視に対応する断面模式図であり、図３６は、図２６中のＸＸＩＸ線矢視に対応する断面模式図である。
【００３０】
中立位置に切換ハンドル３３０を停止させた場合、本体２０１の内部に海水が侵入するとともに、第１海水こし器３５０および第２海水こし器３６０の、海水の導入通路と排出通路とが、本体２０１の内部において短絡してしまう状態となる。その結果、海水こし器としての機能を失う状態となる。なお、海水こし器を開示する先行技術文献として下記の文献が挙げられる。
【先行技術文献】
【特許文献】
【００３１】
【特許文献１】実用新案登録第３０５４４６７号公報
【特許文献２】実用新案登録第３０５４６１３号公報
【特許文献３】実用新案登録第３１２７２３７号公報
【考案の概要】
【考案が解決しようとする課題】
【００３２】
この考案が解決しようとする課題は、従来の海水こし器においては、第１海水こし器および第２海水こし器の両方の海水こし器を用いて、海水のろ過を行なうことができない点にある。
【００３３】
したがって、本考案の目的は、第１海水こし器および第２海水こし器の両方の海水こし器を用いて、海水のろ過を行なうことのできる構成を備えた複式海水こし器を提供することにある。
【課題を解決するための手段】
【００３４】
この考案に基づいた複式海水こし器においては、海水主導入口および海水主排出口が底面に設けられた本体と、上記海水主導入口および上記海水主排出口に連通するように上記本体に連結される第１海水こし器と、上記海水主導入口および上記海水主排出口に連通するように上記本体に連結される第２海水こし器と、上記本体の内部において回動可能に収容され、上記第１海水こし器および上記第２海水こし器への海水の流れを切り換える弁体とを備えている。
【００３５】
上記弁体は、上記第１海水こし器への海水の導入と上記第１海水こし器からの海水の排水とを可能とし、上記第２海水こし器への海水の導入を遮断する第１の切換位置と、上記第２海水こし器への海水の導入と上記第２海水こし器からの海水の排水とを可能とし、上記第１海水こし器への海水の導入を遮断する第２の切換位置と、上記第１海水こし器および上記第２海水こし器への海水の導入と、上記第１海水こし器および上記第２海水こし器からの海水の排出を可能とする第３の切換位置と、の切換が可能なように設けられる。
【考案の効果】
【００３６】
この考案に基づいた複式海水こし器によれば、第１の切換位置と、第２の切換位置、および、第３の切換位置との切換が可能に設けられることで、第１海水こし器のみを用いる場合、第２海水こし器のみを用いる場合、および、第１海水こし器と第２海水こし器との両方を用いる場合の３状態の切換選択が可能である。その結果、第１海水こし器および第２海水こし器の両方の海水こし器を用いて、海水のろ過を行なうことのできる構成を備えた複式海水こし器を提供することが可能となる。
【図面の簡単な説明】
【００３７】
【図１】本実施の形態における複式海水こし器の外観構成を示す斜視図である。
【図２】本実施の形態における複式海水こし器の海水こし器以外の本体部内部構成を示す分解斜視図である。
【図３】本実施の形態における複式海水こし器に採用される弁体の構成を示す分解斜視図である。
【図４】本実施の形態における複式海水こし器の第１の切換位置における切換ハンドルの位置を示す図である。
【図５】本実施の形態における複式海水こし器の第１の切換位置における図７中のＶ線矢視断面模式図である。
【図６】本実施の形態における複式海水こし器の第１の切換位置における図７中のＶＩ線矢視断面模式図である。
【図７】本実施の形態における複式海水こし器の第１の切換位置における図１中のＶＩＩ線矢視に対応する断面模式図である。
【図８】本実施の形態における複式海水こし器の第２の切換位置における切換ハンドルの位置を示す図である。
【図９】本実施の形態における複式海水こし器の第２の切換位置における図１１中のＩＸ線矢視断面模式図である。
【図１０】本実施の形態における複式海水こし器の第２の切換位置における図１１中のＸ線矢視断面模式図である。
【図１１】本実施の形態における複式海水こし器の第２の切換位置における図１中のＸＩ線矢視に対応する断面模式図である。
【図１２】本実施の形態における複式海水こし器の第３の切換位置における切換ハンドルの位置を示す図である。
【図１３】本実施の形態における複式海水こし器の第３の切換位置における図１１中のＩＸ線矢視に対応する断面模式図である。
【図１４】本実施の形態における複式海水こし器の第３の切換位置における図１１中のＸ線矢視に対応する断面模式図である。
【図１５】本実施の形態における複式海水こし器の第３の切換位置における図１中のＸＶ線矢視に対応する断面模式図である。
【図１６】本実施の形態における複式海水こし器の第３の切換位置における図１中のＸＶＩ線矢視に対応する断面模式図である。
【図１７】「ヘイシコック型」の複式海水こし器の正面図である。
【図１８】図１７中のＸＶＩＩＩ線矢視に対応する断面模式図である。
【図１９】「ヘイシコック型」の複式海水こし器の第１の切換位置における切換ハンドルの位置を示す図である。
【図２０】「ヘイシコック型」の複式海水こし器の第１の切換位置における図１８中のＸＸ線矢視に対応する断面模式図である。
【図２１】「ヘイシコック型」の複式海水こし器の第１の切換位置における図１８中のＸＸＩ線矢視に対応する断面模式図である。
【図２２】「ヘイシコック型」の複式海水こし器の第２の切換位置における切換ハンドルの位置を示す図である。
【図２３】「ヘイシコック型」の複式海水こし器の第２の切換位置における図１８中のＸＸ線矢視に対応する断面模式図である。
【図２４】「ヘイシコック型」の複式海水こし器の第２の切換位置における図１８中のＸＸＩ線矢視に対応する断面模式図である。
【図２５】「ボール弁型」の複式海水こし器の正面図である。
【図２６】図２５中のＸＸＶＩ線矢視に対応する断面模式図である。
【図２７】「ボール弁型」の複式海水こし器の第１の切換位置における切換ハンドルの位置を示す図である。
【図２８】「ボール弁型」の複式海水こし器の第１の切換位置における図２６中のＸＸＶＩＩＩ線矢視断面模式図である。
【図２９】「ボール弁型」の複式海水こし器の第１の切換位置における図２６中のＸＸＩＸ線矢視断面模式図である。
【図３０】図２５中のＸＸＸ線矢視に対応する断面模式図である。
【図３１】「ボール弁型」の複式海水こし器の第２の切換位置における切換ハンドルの位置を示す図である。
【図３２】「ボール弁型」の複式海水こし器の第２の切換位置における図３０中のＸＸＸＩＩ線矢視断面模式図である。
【図３３】「ボール弁型」の複式海水こし器の第２の切換位置における図３０中のＸＸＸＩＩＩ線矢視断面模式図である。
【図３４】「ボール弁型」の複式海水こし器の課題を説明する第１の図である。
【図３５】「ボール弁型」の複式海水こし器の課題を説明する第２の図である。
【図３６】「ボール弁型」の複式海水こし器の課題を説明する第３の図である。
【考案を実施するための形態】
【００３８】
以下、本考案に基づいた実施の形態における複式海水こし器の構造について、図１から図１６を参照しながら説明する。なお、断面模式図においては、海水の流れを容易に理解するために、断面構造は詳細に図示せず、模式的に図示している。また、図中矢印Ｆは、海水の流れを示している。
【００３９】
また、以下に説明する実施の形態において、個数、量などに言及する場合、特に記載がある場合を除き、本考案の範囲は必ずしもその個数、量などに限定されない。また、以下の実施の形態において、各々の構成要素は、特に記載がある場合を除き、本考案にとって必ずしも必須のものではない。また、以下に複数の実施の形態が存在する場合、特に記載がある場合を除き、各々の実施の形態の構成を適宜組み合わせることは、当初から予定されている。
【００４０】
（複式海水こし器１００）
まず、図１から図３を参照して、本考案に基づいた実施の形態における複式海水こし器１００の外観構成について説明する。この複式海水こし器１００は、通称「ボール弁型」と呼ばれる複式海水こし器に分類されるものである。
【００４１】
内部に弁体１８０を収容する本体１１０を有している。この本体１１０の下面側には、海水主導入口１１９および海水主排出口１２０が設けられている。また、本体の一方の側面には、第１海水こし器１５０を連結するための第１こし器ベース１３０が連結され、本体の他方の側面には、第２海水こし器１６０を連結するための第２こし器ベース１４０が連結されている。
【００４２】
第１海水こし器１５０および第２海水こし器１６０はいずれも同じ形態、および、ろ過機能を有し、内部に設けられた筒型バケットフィルタ１５０ｆ，１６０ｆの外周面側から内側に向けて海水が導入されることで、海水中のゴミ、雑物魚のウロコ等の異物が筒型バケットフィルタ１５０ｆ，１６０ｆにより取り除かれる。
【００４３】
図２によく表れるように、本体１１０の内部には、第１海水こし器１５０および第２海水こし器１６０に海水を導入する第１領域１１０Ａと、第１海水こし器１５０および第２海水こし器１６０から海水を排出する第２領域１１０Ｂとを隔てるための隔壁１２５が設けられている。この隔壁１２５には、後述する弁体１８０に設けられる連結軸部１８３を液密的に回転可能に通過させるための貫通穴１２６が設けられている。
【００４４】
この隔壁１２５を設けておくことで、第１領域１１０Ａと第２領域１１０Ｂとの間において海水路が短絡することがないため、正規の位置とは異なる位置に弁体１８０が位置決めされた場合であっても、海水こし器としての機能を失うことはない。
【００４５】
本体１１０の第１領域１１０Ａには、海水主導入口１１９以外に、第１海水こし器海水導入口１１５、および、この第１海水こし器海水導入口１１５の対向する位置に第２海水こし器海水導入口１１７が設けられている。また、背面側には背面口１１２、上面側には後部上面口１１３が設けられている。
【００４６】
本体１１０の第２領域１１０Ｂには、海水主排出口１２０以外に、第１海水こし器海水排出口１１６、および、この第１海水こし器海水排出口１１６の対向する位置に第２海水こし器海水排出口１１８が設けられている。また、正面側には正面口１１１、上面側には前部上面口１１４が設けられている。
【００４７】
正面口１１１は、図３中に示す正面プレート１１０ａにより閉ざされ、背面口１１２は、図３中に示す背面プレート１１０ｂに閉ざされている。また、後部上面口１１３および前部上面口１１４は、シール部材１２１、シール固定リング１２２および上面プレート１２３により閉ざされている。正面プレート１１０ａ、背面プレート１１０ｂ、および、上面プレート１２３はいずれも、ボルトＢにより本体１１０に固定されている。
【００４８】
第１こし器ベース１３０は、ボルトＢにより本体１１０に固定され、第１海水こし器海水導入口１１５から第１海水こし器１５０を経由して第１海水こし器海水排出口１１６に通じる海水路が形成される。同様に、第２こし器ベース１４０も、ボルトＢにより本体１１０に固定され、第２海水こし器海水導入口１１７から第２海水こし器１６０を経由して第２海水こし器海水排出口１１８に通じる海水路が形成される。
【００４９】
図３によく表れるように、弁体１８０は、本体１１０の第１領域１１０Ａに収容される第１弁体１８１と、本体１１０の第２領域１１０Ｂに収容される第２弁体１８２と、隔壁１２５の貫通穴１２６を液密的に貫通し第１弁体１８１と第２弁体１８２とを回動可能に連結する連結軸部１８３とを有している。第１弁体１８１の前方側には、切換ハンドル１７０が連結されている。切換ハンドル１７０を回転させることで、連結軸部１８３の軸芯Ａ周りに沿って、第１弁体１８１と第２弁体１８２が一体として回動可能なように、弁体１８０は本体１１０の内部に収容されている。
【００５０】
第１弁体１８１は、略中空の立方体形状を有し、連結軸部１８３の軸芯Ａ周りに沿って、第１海水導入口１８１ａ、第２海水導入口１８１ｂ、および、この第２海水導入口１８１ｂに対向する位置に第３海水導入口１８１ｃが設けられている。また、第２弁体１８２も、第１弁体１８１と同様に、略中空の立方体形状を有し、連結軸部１８３の軸芯Ａ周りに沿って、第１海水排出口１８２ａ、第２海水排出口１８２ｂ、および、この第２海水排出口１８２ｂに対向する位置に第３海水排出口１８２ｃが設けられている。
【００５１】
（複式海水こし器１００の切換動作）
次に、図４から図１６を参照して、複式海水こし器１００の切換動作について説明する。上記構成を備える複式海水こし器１００においては、第１の切換位置、第２の切換位置、および、第３の切換位置の３つの状態の選択を可能としている。
【００５２】
図４から図７に第１の切換位置を示している。この第１の切換位置においては、結軸部１８３の軸芯Ａ周りに沿って弁体１８０を回動させることにより、第１海水こし器１５０への海水の導入と第１海水こし器１５０からの海水の排水とを可能とし、第２海水こし器１６０への海水の導入を遮断している。
【００５３】
図８から図１１に第２の切換位置を示している。この第２の切換位置においては、第１の切換位置から、結軸部１８３の軸芯Ａ周りに沿って弁体１８０を１８０°回動させることにより、第２海水こし器１６０への海水の導入と第２海水こし器１５０からの海水の排水とを可能とし、第１海水こし器１５０への海水の導入を遮断している。
【００５４】
図１２から図１６に第３の切換位置を示している。この第３の切換位置においては、第２の切換位置から、結軸部１８３の軸芯Ａ周りに沿って弁体１８０を９０°回動させることにより、第１海水こし器１５０および第２海水こし器１６０への海水の導入と、第１海水こし器１５０および第２海水こし器１６０からの海水の排出を可能としている。
【００５５】
（第１の切換位置）
図４に示す状態に切換ハンドル１７０を回転させることにより、図５に示すように、海水導入側の第１領域１１０Ａにおいては、海水主導入口１１９と第３海水導入口１８１ｃとが連通し、第１海水こし器海水導入口１１５と第１海水導入口１８１ａとが連通する。各連通領域は、シール部材１２１により液密状態が維持されている。このとき、第２海水導入口１８１ｂは、本体１１０により液密的に遮断され、第２海水こし器海水導入口１１７は、第１弁体１８１により遮断されている。
【００５６】
また、図６に示すように、海水排出側の第２領域１１０Ｂにおいては、海水主排出口１２０と第３海水排出口１８２ｃとが連通し、第１海水こし器海水排出口１１６と第１海水排出口１８２ａとが連通する。各連通領域は、シール部材１２１により液密状態が維持されている。このとき、第２海水導排出口１８２ｂは、本体１１０により液密的に遮断され、第２海水こし器海水排出口１１８は、第２弁体１８２により遮断されている。
【００５７】
この状態において、図７に示すように、海水が海水主導入口１１９から第１海水こし器１５０の内部に導入され、第１海水こし器１５０により濾過された海水が、海水主排出口１２０から排出される。
【００５８】
（第２の切換位置）
図８に示す状態に切換ハンドル１７０を１８０°回転させることにより、図９に示すように、海水導入側の第１領域１１０Ａにおいては、海水主導入口１１９と第２海水導入口１８１ｂとが連通し、第２海水こし器海水導入口１１７と第１海水導入口１８１ａとが連通する。各連通領域は、シール部材１２１により液密状態が維持されている。このとき、第３海水導入口１８１ｃは、本体１１０により液密的に遮断され、第１海水こし器海水導入口１１５は、第１弁体１８１により遮断されている。
【００５９】
また、図１０に示すように、海水排出側の第２領域１１０Ｂにおいては、海水主排出口１２０と第２海水排出口１８２ｂとが連通し、第２海水こし器海水排出口１１８と第１海水排出口１８２ａとが連通する。各連通領域は、シール部材１２１により液密状態が維持されている。このとき、第３海水導排出口１８２ｃは、本体１１０により液密的に遮断され、第１海水こし器海水排出口１１６は、第２弁体１８２により遮断されている。
【００６０】
この状態において、図１１に示すように、海水が海水主導入口１１９から第２海水こし器１６０の内部に導入され、第２海水こし器１６０により濾過された海水が、海水主排出口１２０から排出される。
【００６１】
（第３の切換位置）
図１２に示す状態に切換ハンドル１７０を９０°回転させることにより、図１３に示すように、海水導入側の第１領域１１０Ａにおいては、海水主導入口１１９と第１海水導入口１８１ａとが連通し、第１海水こし器海水導入口１１５と第２海水導入口１８１ｂとが連通し、第２海水こし器海水導入口１１７と第３海水導入口１８１ｃとが連通する。各連通領域は、シール部材１２１により液密状態が維持されている。
【００６２】
また、図１４に示すように、海水排出側の第２領域１１０Ｂにおいては、海水主排出口１２０と第１海水排出口１８２ａとが連通し、第１海水こし器海水排出口１１６と第２海水排出口１８２ｂとが連通し、第２海水こし器海水排出口１１８と第３海水導排出口１８２ｃとが連通する。各連通領域は、シール部材１２１により液密状態が維持されている。
【００６３】
この状態において、図１５に示すように、海水が海水主導入口１１９から第１海水こし器１５０および第２海水こし器１６０の内部に導入され、図１６に示すように、第１海水こし器１５０および第２海水こし器１６０により濾過された海水が、海水主排出口１２０から排出される。
【００６４】
（作用・効果）
このように本実施の形態における複式海水こし器１００によれば、海水主導入口１１９および海水主排出口１２０が底面に設けられた本体１１０と、海水主導入口１１９および海水主排出口１２０に連通するように本体１１０に連結される第１海水こし器１５０と、海水主導入口１１９および海水主排出口１２０に連通するように本体１１０に連結される第２海水こし器１６０と、本体１１０の内部において回動可能に収容され、第１海水こし器１５０および第２海水こし器１６０への海水の流れを切り替える弁体１８０とを備え、弁体１８０は、第１海水こし器１５０への海水の導入と第１海水こし器１５０からの海水の排水とを可能とし、第２海水こし器１６０への海水の導入を遮断する第１の切換位置と、第２海水こし器１６０への海水の導入と第２海水こし器１５０からの海水の排水とを可能とし、第１海水こし器１５０への海水の導入を遮断する第２の切換位置と、第１海水こし器１５０および第２海水こし器１６０への海水の導入と、第１海水こし器１５０および第２海水こし器１６０からの海水の排出を可能とする第３の切換位置と、の切換が可能なように設けられている。
【００６５】
このように、第１の切換位置と、第２の切換位置、および、第３の切換位置との切換が可能に設けられることで、第１海水こし器１５０のみを用いる場合、第２海水こし器１６０のみを用いる場合、および、第１海水こし器１５０と第２海水こし器１６０との両方を用いる場合の３状態の切換選択が可能となる。
【００６６】
その結果、第１海水こし器１５０および第２海水こし器１６０の両方の海水こし器を用いて、海水のろ過を行なうことが可能となり、舶用エンジンの冷却効率を向上させることが可能となる。また、使用者においても、切換ハンドル１７０を起立させた状態が、第１海水こし器１５０および第２海水こし器１６０の両方の海水こし器を用いる状態であることを容易に理解することができるため、使用者の誤操作を回避し、使用時の利便性を向上させることも可能となる。
【００６７】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００６８】
１００  複式海水こし器、１１０  本体、１１０Ａ  第１領域、１１０Ｂ  第２領域、１１０ａ  正面プレート、１１０ｂ  背面プレート、１１１  正面口、１１２  背面口、１１３  後部上面口、１１４  前部上面口、１１５  第１海水こし器海水導入口、１１６  第１海水こし器海水排出口、１１７  第２海水こし器海水導入口、１１８  第２海水こし器海水排出口、１１９  海水主導入口、１２０  海水主排出口、１２１  シール部材、１２２  シール固定リング、１２３  上面プレート、１２５  隔壁、１２６  貫通穴、１３０  第１こし器ベース、１４０  第２こし器ベース、１５０  第１海水こし器、１５０ｆ，１６０ｆ  筒型バケットフィルタ、１６０  第２海水こし器、１７０  切換ハンドル、８０  弁体、１８１  第１弁体、１８１ａ  第１海水導入口、１８１ｂ  第２海水導入口、１８１ｃ  第３海水導入口、１８２  第２弁体、１８２ａ  第１海水排出口、１８２ｂ  第２海水排出口、１８２ｃ  第３海水排出口、１８３  連結軸部、Ｂ  ボルト。
【図１】
0003152265.tif 000003
【図２】
0003152265.tif 000004
【図３】
0003152265.tif 000005
【図４】
0003152265.tif 000006
【図５】
0003152265.tif 000007
【図６】
0003152265.tif 000008
【図７】
0003152265.tif 000009
【図８】
0003152265.tif 000010
【図９】
0003152265.tif 000011
【図１０】
0003152265.tif 000012
【図１１】
0003152265.tif 000013
【図１２】
0003152265.tif 000014
【図１３】
0003152265.tif 000015
【図１４】
0003152265.tif 000016
【図１５】
0003152265.tif 000017
【図１６】
0003152265.tif 000018
【図１７】
0003152265.tif 000019
【図１８】
0003152265.tif 000020
【図１９】
0003152265.tif 000021
【図２０】
0003152265.tif 000022
【図２１】
0003152265.tif 000023
【図２２】
0003152265.tif 000024
【図２３】
0003152265.tif 000025
【図２４】
0003152265.tif 000026
【図２５】
0003152265.tif 000027
【図２６】
0003152265.tif 000028
【図２７】
0003152265.tif 000029
【図２８】
0003152265.tif 000030
【図２９】
0003152265.tif 000031
【図３０】
0003152265.tif 000032
【図３１】
0003152265.tif 000033
【図３２】
0003152265.tif 000034
【図３３】
0003152265.tif 000035
【図３４】
0003152265.tif 000036
【図３５】
0003152265.tif 000037
【図３６】
0003152265.tif 000038